(57)【要約】【課題】本発明は、ダクトの流路が屈折される角部において空気の流動特性を改善することができるダクト換気装置を提供する。【解決手段】本発明によるダクト換気装置は、空気の流路が屈折される角部を有するダクト換気装置において、前記角部の形状に対応して屈折され、所定の長さを有し、前記ダクトの前記角部の内部の流路を空間分割するように設置される１つ以上の屈折隔壁；およびモータに連結され、回転軸線方向に複数のブレードを有し、前記屈折隔壁によって分割される流路のうち少なくとも１つ以上に回転可能なように設置されるファンを含むことができる。【選択図】図１
2018141603.tif 000002
【特許請求の範囲】
【請求項１】
空気の流路が屈折される角部を有するダクト換気装置において、
前記角部の形状に対応して屈折され、所定の長さを有し、前記ダクトの前記角部の内部の流路を空間分割するように設置される１つ以上の屈折隔壁；および
モータに連結され、回転軸線方向に複数のブレードを有し、前記屈折隔壁によって分割される流路のうち少なくとも１つ以上に回転可能なように設置されるファン；
を含むダクト換気装置。
【請求項２】
前記ファンの形状に対応して円弧状を有し、前記ファンの一部が挿入される部分収容されうる収容部；
をさらに含み、
前記ファンが設けられない流路はメイン流路に規定され、前記ファンが設置される流路はサブ流路に規定されて、前記収容部は前記サブ流路につながることを特徴とする、請求項１に記載のダクト換気装置。
【発明の詳細な説明】
【技術分野】
【０００１】
本発明は、ダクト換気装置に関し、さらに詳細には、屈折部位を有するダクトの空気の流れを改善するためのダクト換気装置に関する。
【背景技術】
【０００２】
現代では、建物が徐々に大型化されて外観を重視するようになり、建物の外壁に密閉型の窓構造を適用することが好まれている。密閉型構造は、建物の外観を自由にデザインすることに有利で、建物がモダンに見えるという特徴があるが、窓による換気に不利であり、室内の空気が容易に汚染されうるという欠点がある。
【０００３】
したがって、建物の汚染された空気を外部に排出し、外部の新鮮な空気を建物に供給するための換気装置を介して建物の換気の問題を解決している。
【０００４】
このような換気装置は、一般的に、建物の室内の天井などに配設される換気ダクトに送風ファンが設置され、送風ファンの作動により、給気または排気が行われるように構成される。また、必要な場合、ダクトにフィルターなどが具備されて空気を浄化したり、温風機または冷風機などが具備されて室内温度を制御することもできる。
【０００５】
しかし、従来の換気装置によれば、ダクトの内部形状により、空気の風速および風量が減少されえ、特にダクトがバンディングされる部位で風速および風量が目に見えて減少するという欠点がある。
【先行技術文献】
【特許文献】
【０００６】
【特許文献１】韓国登録特許第０９２７２１８号公報（２００９年１１月１０日）
【発明の概要】
【発明が解決しようとする課題】
【０００７】
本発明は、ダクトの屈折部位でも空気の風速および風量を増加させることができるダクト換気装置を提供することに目的がある。
【課題を解決するための手段】
【０００８】
本発明によるダクト換気装置は、空気の流路が屈折される角部を有するダクト換気装置において、前記角部の形状に対応して屈折され、所定の長さを有し、前記ダクトの前記角部の内部の流路を空間分割するように設置される１つ以上の屈折隔壁；およびモータに連結され、回転軸線方向に複数のブレードを有し、前記屈折隔壁によって分割される流路のうち少なくとも１つ以上に回転可能なように設置されるファンを含むことができる。
【０００９】
好ましくは、前記ファンの形状に対応して円弧状を有し、前記ファンの一部が挿入される部分収容されうる収容部をさらに含み、前記ファンが設置されない流路はメイン流路に規定され、前記ファンが設置される流路はサブ流路に規定され、前記収容部は前記サブ流路につながりうる。
【発明の効果】
【００１０】
本発明のダクト換気装置は、ダクトの屈折部位でも空気の風速および風量の増加が可能なので、建物の給気および排気特性を格段に向上させることができる効果がある。
【図面の簡単な説明】
【００１１】
【図１】本発明の一実施例によるダクト換気装置を示す図である。
【図２】本発明の他の実施例によるダクト換気装置を示す図である。
【図３】本発明のさらなる他の実施例によるダクト換気装置を示す図である。
【発明を実施するための形態】
【００１２】
以下、添付された図面を参照して、本発明の好ましい実施例を詳細に説明する。これに先立ち、本明細書および請求の範囲で使用される用語や単語は通常的または辞典的な意味に限定して解釈されてはならず、発明者は、自身の発明を最善の方法で説明するために用語の概念を適切に定義することができる原則に立脚して、本発明の技術的思想に符合する意味と概念で解釈されるべきである。本発明は、様々な変更を図ることができ、様々な実施例を有することができるところ、以下で説明され図面に示された例示は、本発明を特定の実施形態に対して限定するものではなく、本発明の思想および技術範囲に含まれるすべての変更、均等物ないし代替物を含むものと理解されるべきである。また、本出願時点においてこれらを代替できる多様な均等物と変形例があり得ることを理解しなければならない。
【００１３】
図１は、本発明の一実施例によるダクト換気装置を示す図である。
【００１４】
本発明の一実施例によるダクト換気装置は、ファン３００、屈折隔壁２００およびファン３００を含む。
【００１５】
ダクト１００は、空気が流動することができる内部空間である流動路１１０を有し、ダクト１００の一部には、ダクト１００がバンディングされる角部１２０が形成される。このとき、角部１２０は、角部１２０の外側の外側屈折壁１４０と角部１２０の内側の内側屈折壁１３０とを含む。
【００１６】
一対の屈折隔壁２００は、角部１２０の内部空間を分割するようにダクト１００内に所定の長さを有して設置され、ダクト１００の角部１２０の形状に対応して湾曲するように形成される。したがって、ダクト１００の角部１２０の流動路１１０は、メイン隔壁によってメイン隔壁の間のメイン流路２１０とメイン隔壁の両側のサブ流路２２０とに分割される。
【００１７】
角部１２０のサブ流路２２０の内側には、それぞれファン３００が回転可能なように配置されるが、ファン３００は、回転軸線の外側にファン３００の長さ方向に複数のブレード３１０が互いに平行に配置され、ファン３００の一側には駆動力を供給するためのモータ（図示せず）が連結される。ブレード３１０は、曲率を有するように湾曲され、ファン３００の回転方向に所定の角度傾斜するように設けられる。
【００１８】
角部１２０の内側屈折壁１３０には、円弧状を有しダクト１００の外部に向かうように陥没される内側収容部１３１が形成されるが、内側収容部１３１には、ファン３００の一部が挿入されて部分収容されうる。
【００１９】
角部１２０の外側屈折壁１４０の湾曲部の内側に配置されるファン３００およびこれと対向する屈折隔壁２００の間には、補助隔壁２３０が設置される。補助隔壁２３０の両端は、サブ流路２２０を形成するように対向する屈折隔壁２００に連結され、補助隔壁２３０の一部には、円弧状を有し屈折隔壁２００側に向かうように陥没される外側収容部２３１が形成されるが、外側収容部２３１には、ファン３００の一部が挿入されて部分収容されうる。
【００２０】
本発明の一実施例によるダクト換気装置の動作は次の通りである。
【００２１】
モータが駆動することにより、ファン３００が回転すると、両側のサブ流路２２０内の空気が強制移送されるが、ダクト１００の入口側の空気がサブ流路２２０の入口を介してサブ流路２２０に流入され、流入された空気は、サブ流路２２０を通過して、サブ流路２２０の出口に排出される。
【００２２】
このとき、空気がサブ流路２２０から高速で排出されるため、メイン流路２１０の排気側気圧が下降するが、これにより、ダクト１００の入口側の空気の一部がメイン流路２１０に強制流入され、ダクト１００の出口側に排出される。つまり、サブ流路２２０の空気流動がメイン流路２１０の高速空気流動を誘導することができ、従来技術によるダクトバンディング部における空気の強制移送と比較して、風量および風速を各段に増加させることができる。
【００２３】
つまり、従来のダクト換気装置によれば、ダクトの内部形状により、ダクト内で強制移送される空気の風速および風量が減少することがあり、ダクトがバンディングされる部位でこのような現象がひどくなるという欠点がある。
【００２４】
しかし、本発明によれば、ダクトのバンディングされる部分で空気の風速および風量が減少せず、むしろ増加して換気効率が向上されうる。
【００２５】
図２は、本発明の他の実施例によるダクト換気装置を示す図である。
【００２６】
本発明の他の実施例では、本発明の一実施例の構成から補助隔壁２３０、補助隔壁２３０と向き合う屈折隔壁２００、そして補助隔壁２３０と向き合うファン３００が具備されない。本発明の他の実施例で、ファン３００が回転すると、サブ流路２２０を介して空気が流動し、これによりメイン流路２１０の空気が移送されて気流が形成される。
【００２７】
図３は、本発明のさらなる他の実施例によるダクト換気装置を示す図である。
【００２８】
本発明のさらなる他の実施例では、本発明の一実施例の構成から内側収容部１３１、内側収容部１３１と向き合うファン３００、そして内側収容部１３１に近い側の屈折隔壁２００が備えられない。本発明のさらなる他の実施例で、ファン３００が回転すると、サブ流路２２０を介して空気が流動し、これによりメイン流路２１０の空気が移送されて気流が形成される。
【００２９】
つまり、各実施例を参照すると、ダクトのバンディング部位に設置されるファン３００と隔壁の数および位置が多様に構成されうる。
【００３０】
以上のように、本発明は、限定された実施例と図面によって説明されたが、本発明はこれによって限定されず、本発明が属する技術分野で通常の知識を有する者により、本発明の技術思想と以下に記載される特許請求の範囲の均等範囲内で多様な修正および変形が可能である。
【符号の説明】
【００３１】
１００：ダクト              １１０：流動路
１２０：角部                １３０：内側屈折壁
１３１：内側収容部          １４０：外側屈折壁
２００：屈折隔壁            ２１０：メイン流路
２２０：サブ流路            ２３０：補助隔壁
２３１：外側収容部          ３００：ファン
３１０：ブレード
【図１】
2018141603.tif 000003
【図２】
2018141603.tif 000004
【図３】
2018141603.tif 000005